(57)【要約】      （修正有）【課題】紡糸モップ・紙モップ等の掃除具でかき集めた塵や該掃除具に付着した粉塵を、周囲に飛散させることなくかつ簡単に除去できる吸引式除塵具を提供することを目的とする。【解決手段】電気掃除機あるいは電気掃除機接続部を備える本体２と、スロープ板４と、該スロープ板の頂上付近に配置される一または二以上の吸引孔を有する吸引板５と、該吸引板と本体とを結ぶ吸引通路と、からなる構成を採り、使用後のモップをいったん持ち上げることなく、該スロープ板の上でモップを動かすだけで、モップに付着したゴミを取り除いて、再びモップの集塵能力を向上させることができる構成とした。【選択図】図１
0003113060.tif 000002
【実用新案登録請求の範囲】
【請求項１】
電気掃除機を備える本体と、スロープ板と、該スロープ板の頂上付近に配置される一または二以上の吸引孔を有する吸引板と、該吸引板と本体とを結ぶ吸引通路と、からなることを特徴とする掃除道具用吸引式除塵具。
【請求項２】
電気掃除機接続部を備える本体と、スロープ板と、該スロープ板の頂上付近に配置される一又は二以上の吸引孔を有する吸引板と、該吸引板と本体とを結ぶ吸引通路と、からなることを特徴とする掃除道具用吸引式除塵具。
【請求項３】
掃除道具感知センサーを設けることにより、該センサーが掃除道具を感知した際に自動的に電気掃除機を作動させ、あるいは、掃除道具の除塵度合いを感知して吸引圧力を自動調整することを特徴とする請求項１に記載の掃除道具用吸引式除塵具。
【請求項４】
自動・手動切換スイッチを設け、前記掃除道具感知センサーのＯＮ・ＯＦＦ制御が可能であることを特徴とする請求項３に記載の掃除道具用吸引式除塵具。
【請求項５】
前記本体の所定箇所に、掃除道具の柄部を掴んで該掃除道具を立て掛け保持するための掴持部を設けたことを特徴とする請求項１から請求項４のいずれかに記載の掃除道具用吸引式除塵具。
【請求項６】
前記スロープ板における本体側並びにそれに対向する側のいずれか一辺あるいは両辺に、ガイド板を備えたことを特徴とする請求項１から請求項５のいずれかに記載の掃除道具用吸引式除塵具。
【請求項７】
前記本体の所定箇所に、回動自在に取付けられ且つスロープ板を被覆する蓋体を設けたことを特徴とする請求項１から請求項６のいずれかに記載の掃除道具用吸引式除塵具。
【請求項８】
前記本体に吸引用ホース取付部を設けるとともに、吸引方向切替操作部を設けたことを特徴とする請求項１から請求項７のいずれかに記載の掃除道具用吸引式除塵具。
【請求項９】
前記吸引板における本体側並びにそれに対向する側のいずれか一方あるいは両方に、吸引孔を備える巻込部を設けたことを特徴とする請求項１から請求項８のいずれかに記載の掃除道具用吸引式除塵具。
【請求項１０】
前記吸引孔の縁部所定箇所に、凸部を設けたことを特徴とする請求項１から請求項９のいずれかに記載の掃除道具用吸引式除塵具。
【請求項１１】
前記吸引板に吸引孔が複数配置されるとともに、該吸引孔の位置に応じて吸引通路が仕切板によって複数に仕切られていることを特徴とする請求項１から請求項１０のいずれかに記載の掃除道具用吸引式除塵具。
【請求項１２】
前記仕切板の下端部に隙間を設け、該仕切板によって仕切られた吸引通路同士が該隙間によって互いに連通していることを特徴とする請求項１１に記載の掃除道具用吸引式除塵具。
【請求項１３】
前記スロープ板、吸引板、吸引通路、ガイド板、巻込部のうちいずれか、あるいは、これらを任意に組合せて一体成型された部材が、取外し・交換可能であることを特徴とする請求項１から請求項１２のいずれかに記載の掃除道具用吸引式除塵具。
【考案の詳細な説明】
【技術分野】
【０００１】
本考案は、紡糸モップや紙モップ等の掃除道具に付着した塵を除くための吸引式除塵具に関するものである。
【背景技術】
【０００２】
業務用や一般家庭用における掃除道具として、紡糸モップや紙モップ、電気掃除機、ほうき等種々のものが存在する。これら掃除道具は、それぞれ長所を有し、その長所を活かすべく使用場面に応じて適宜選択され、使用されることとなる。紡糸モップは、糸の形状と含浸吸着剤により大量の塵やほこりを簡単に集めることが可能である。また紙モップは、手軽に集塵することが可能であるため、最近特に一般家庭において普及しつつある。さらに電気掃除機は、フローリングやじゅうたん、畳など幅広く使用可能であって、集塵能力も非常に高い。そしてほうきは、日本古来の伝統的道具として畳や板の間の掃き掃除に大変重宝されている。
【０００３】
しかしながら、かかる掃除道具には、逆に短所が存在するのも事実である。すなわち、紡糸モップの場合、集塵力を持続させるためには表面に付着した大きめのゴミの塊を取り除く必要があった。現状におけるゴミの取り除き方としては、室内や屋外もしくはゴミ袋の中でモップを上下左右前後にゆすって払い落としたり、モップをひっくり返して電気掃除機で吸引するしかない。また紙モップの場合、ゴミの付着・保持容量が上記紡糸モップより少ないため、短時間で容量オーバーとなってしまって充分に掃除をすることができず、さらには該紙モップが一回限りで使い捨てとなりやすく、ゴミ削減という現代のニーズに逆行している。さらに電気掃除機の場合、取り回しの容易さは上記各モップの方が断然に上であって、なおかつ音がうるさくて排気によりほこりが舞ってしまう。そしてほうきの場合、吸着機能を有さないため、掃くたびにほこりが空中へ舞い上がってしまうこととなる。
【０００４】
かかる問題を解決すべく、下記列挙した文献にあるように、モップに付着した塵やほこりを除塵するための掃除機がいくつか提案されている。しかしながら、これらは確かにモップに付着したゴミを取り除いて再びモップの集塵能力を向上させる効果はあるものの、使用後のモップをいったん持ち上げて掃除機まで運ぶ必要があるため、せっかく集塵したゴミがその間にモップから落下してしまうおそれがある。また、これらは紡糸モップについての除塵についてのみ使用可能であって、紙モップの除塵については考慮されていない。
【特許文献１】特開２００３−３３９５８４号公報
【特許文献２】特開２００２−１５９４２３号公報
【特許文献３】特開平９−１７３２６４号公報
【考案の開示】
【考案が解決しようとする課題】
【０００５】
上記問題点に鑑み、本考案は、紡糸モップ・紙モップ等の掃除道具でかき集めた塵や該掃除道具に付着した粉塵を、周囲に飛散させることなくかつ簡単に除去できる吸引式除塵具を提供することを目的とする。
【課題を解決するための手段】
【０００６】
前記目的を達成するため、本考案は、電気掃除機を備える本体と、スロープ板と、該スロープ板の頂上付近に配置される一または二以上の吸引孔を有する吸引板と、該吸引板と本体とを結ぶ吸引通路と、からなる構成となっている。
【０００７】
また、本考案は、電気掃除機接続部を備える本体と、スロープ板と、該スロープ板の頂上付近に配置される一又は二以上の吸引孔を有する吸引板と、該吸引板と本体とを結ぶ吸引通路と、からなる構成とすることができる。
【０００８】
さらに、本考案は、掃除道具感知センサーを設けることにより、該センサーが掃除道具を感知した際に自動的に電気掃除機を作動させ、あるいは、掃除道具の除塵度合いを感知して吸引圧力を自動調整する構成を採用することができる。
【０００９】
またさらに、本考案は、自動・手動切換スイッチを設け、前記掃除道具感知センサーのＯＮ・ＯＦＦ制御が可能である構成とすることができる。
【００１０】
さらにまた、本考案は、前記本体の所定箇所に、掃除道具の柄部を掴んで該掃除道具を立て掛け保持するための掴持部を設けた構成とすることもできる。
【００１１】
そして、本考案は、前記スロープ板における本体側並びにそれに対向する側のいずれか一辺あるいは両辺に、ガイド板を備えた構成を採ることができる。
【００１２】
そしてまた、本考案は、前記本体の所定箇所に、回動自在に取付けられ且つスロープ板を被覆する蓋体を設けた構成を採用することもできる。
【００１３】
そしてさらに、本考案は、前記本体に吸引用ホース取付部を設けるとともに、吸引方向切替操作部を設けた構成とすることもできる。
【００１４】
さらに、本考案は、前記吸引板における本体側並びにそれに対向する側のいずれか一方あるいは両方に、吸引孔を備える巻込部を設けた構成を採ることもできる。
【００１５】
またさらに、本考案は、前記吸引孔の縁部所定箇所に、凸部を設けた構成とすることもできる。
【００１６】
そしてまた、本考案は、前記吸引板に吸引孔が複数配置されるとともに、該吸引孔の位置に応じて吸引通路が仕切板によって複数に仕切られている構成を採用することができる。
【００１７】
さらにまた、本考案は、前記仕切板の下端部に隙間を設け、該仕切板によって仕切られた吸引通路同士が該隙間によって互いに連通している構成とすることもできる。
【００１８】
そしてまた、本考案は、前記スロープ板、吸引板、吸引通路、ガイド板、巻込部のうちいずれか、あるいは、これらを任意に組合せて一体成型された部材が、取外し・交換可能である構成を採用することができる。
【考案の効果】
【００１９】
本考案にかかる掃除道具用吸引式除塵具によれば、紡糸モップ・紙モップ等種類を問わず、さらには大小を問わずに、様々な掃除道具に対応することが可能であり、電気掃除機での吸引中にスロープ板上で、掃除道具を左右に軽く動かすだけで、該掃除道具でかき集めた塵や付着した塵を容易に取り除くことが可能である。
【００２０】
また、本考案にかかる掃除道具用吸引式除塵具によれば、使用後の掃除道具を持ち上げることなく塵を吸い取るので、例えば従来におけるモップに付着した塵を振り落とす作業に起因する粉塵の撒き散らしや、該粉塵を吸い込むことによる清掃者の健康侵害という問題が生じない。さらに、掃除道具により集められた塵を電気掃除機やほうき等で除去するといった二度手間を省略することが可能となる点において、作業者の清掃負担を軽減できるという効果も奏する。
【００２１】
またさらに、本考案にかかる掃除道具用吸引式除塵具によれば、掃除道具が紙モップである場合に、使用する紙の一枚あたりの使用回数や交換サイクルを延長でき、上述した紙モップのゴミ削減問題を改善して、省資源・環境保全に資することとなる。また、掃除道具が紡糸モップである場合にも使用回数の増加が図れ、電気掃除機の電気使用量削減にも効果を奏する。
【００２２】
そしてまた、従来であれば、掃除を行う都度に電気掃除機を持ち出し、吸引用アタッチメントを取替えて電源コードをコンセントへ差し込むという手間が必要であったところ、電気掃除機一体型とする構成を採用した場合、これを常時設置して前記準備工程を全て省略することが可能となり、手軽さが向上するとともに、清掃作業全体の時間を短縮できる。さらに、掃除道具感知センサーを設けることで、電気掃除機のＯＮ・ＯＦＦ操作を不要にさせ、あるいは、掃除道具の除塵度合いから吸引圧力の自動調整を可能にして、さらなる利便性の向上に資することとなる。
【考案を実施するための最良の形態】
【００２３】
本考案にかかる掃除道具用吸引式除塵具１は、各種掃除道具Ｍでかき集めた塵をそのまま電気掃除機３に吸引させて除去することができるとともに、該掃除道具Ｍに付着した粉塵をも吸引させて除塵することが可能である構造としたことを最大の特徴とする。以下、本考案にかかる掃除道具用吸引式除塵具１の実施形態を図面に基づいて説明する。
【００２４】
図１及び図２は、本考案にかかる掃除道具用吸引式除塵具１の第一の実施形態を示す斜視図である。該掃除道具用吸引式除塵具１は、電気掃除機３を備える本体２と、スロープ板４と、該スロープ板４の頂上付近に配置される一または二以上の吸引孔６を有する吸引板５と、該吸引板５と本体２とを結ぶ吸引通路７とから構成される。すなわち、電気掃除機一体型の掃除道具用吸引式除塵具１である。尚、図１及び図２は、電気掃除機３の形態が異なること以外はその基本的構造に相違はない。
【００２５】
電気掃除機３の内部機構については特に限定するものではなく、一般的な家庭用電気掃除機及び業務用電気掃除機等に用いられている構造を採用することが可能である。図１は電気掃除機３を横型に内蔵した状態を示しており、図２は、縦型に設置した状態を示している。図１の形態を採用する場合は、図３に示すように、スロープ板４を立てることによって未使用時の収納性を向上させることが可能となる。図２は、本考案の形態を、愛らしいムササビをモチーフにした装飾を施した実施例を示したものであり、不使用時においてもそのままリビング等に常設可能となる装飾的効果を有することを示している。
【００２６】
前記電気掃除機３の電源については、図３に示すように、充電器Ｆにより掃除道具用吸引式除塵具１に内蔵したバッテリーに充電することによって、電源のない場所でも使用することが可能となる構成とすることもできる。また、電源コードＥを内蔵し、通常の家庭用コンセントに差し込んで使用できることはいうまでもない。
【００２７】
尚、上記の通り掃除道具用吸引式除塵具１を電気掃除機一体型とした場合に、掃除道具感知センサーを設けることで、該センサーが掃除道具Ｍを感知した際に自動的に電気掃除機３を作動させ、あるいは、掃除道具Ｍの除塵度合いを感知して吸引圧力を自動調整しながら、掃除道具Ｍの除塵を行う構成を採用することができる。センサーは特に限定するものではないが、機械的なリミットスイッチを使用すると、塵等による誤動作のおそれが生じるため、光センサー等を利用した非接触型センサー等を用いることが望ましい。また、該センサーによる電気掃除機３の動作はタイマー機能等によって若干の時間的な作動時間を確保する構成とする。すなわち、該センサーによって、掃除道具Ｍがスロープ板４に置かれたことを検出して動作を開始し、自己保持回路とタイマー機能を組み合わせて、一定時間電気掃除機３を作動する機構とする。
【００２８】
また、かかる掃除道具感知センサーによる動作について、自動・手動切換スイッチを設けることにより、該センサーのＯＮ・ＯＦＦ制御を任意に行うことが可能とすることが有効である。
【００２９】
図４は、本考案にかかる掃除道具用吸引式除塵具１の第二の実施形態を示す斜視図である。該掃除道具用吸引式除塵具１は、電気掃除機接続部８を備える本体２と、スロープ板４と、該スロープ板４の頂上付近に配置される一または二以上の吸引孔６を有する吸引板５と、該吸引板５と本体２とを結ぶ吸引通路７とから構成される。すなわち、電気掃除機別体型の掃除道具用吸引式除塵具１である。尚、図４において、電気掃除機接続部８に縦型の電気掃除機３を接続した場合を示しているが、接続される電気掃除機３の形態に限定はない。
【００３０】
上記第一及び第二の実施形態にかかる掃除道具用吸引式除塵具１において、図２及び図４に示すように、本体２の所定箇所には、掴持部９を有する構成とすることができる。かかる構成とした場合には、図面に示すように、掃除道具Ｍの柄部を該掴持部９で掴むことにより、該掃除道具Ｍを立て掛けておいて物置等に収納しなくて済むという効果が得られる。
【００３１】
スロープ板４は、接地面から吸引板５まで緩やかに傾斜する形状とし、掃除道具Ｍに付着した塵を吸引孔５へ導き易い形状となっている。かかる形状は、図面に示すような吸引通路７に対して垂直方向に左右対称の傾斜とする場合のみならず、多方向に掃除道具Ｍを動かせるように略円形状としたり、塵取り的使用を可能とすべく一方向傾斜とする形状にすることもできる。素材については特に限定はないが、軽量化や成形性を考慮すれば、ＡＢＳやポリスチレン、ＦＲＰ等の強化プラスチック等が考えられる。
【００３２】
また、前記スロープ板４には、ガイド板１０を設けることも可能である。該ガイド板１０を設けることにより、スロープ板４から掃除道具Ｍがはみ出すことがなくなり、塵等の脱落を防ぐことができる。
【００３３】
さらに、スロープ板４における先端の接地面と接触する箇所には、図５に示すように、ラバー材１１を設けることが可能である。接地箇所に傷をつけることなく本考案にかかる掃除道具用吸引式除塵具１を設置することが可能となり、また、掃除道具Ｍの動きによって本体２等が動いてしまうということを抑える効果が得られる。近年、摩擦係数及び耐磨耗性の高いフリクションラバーが開発されているので、これらを使用することが有益である。
【００３４】
図６は、本考案にかかる掃除道具用吸引式除塵具１に蓋体１２を設けた構成を示している。すなわち、該蓋体１２は、本体２の所定箇所にヒンジ等によって回動自在に取付けられおり、掃除道具用吸引式除塵具１を使用する際には該蓋体１２を開けた状態とし、逆に不使用時にはスロープ板４を被覆する形で閉めた状態となる。かかる蓋体１２を設けることで、掃除道具用吸引式除塵具１の収納性や外観、持ち運びの際の利便性が向上する。
【００３５】
また、同図６に示すように、前記本体２の所定箇所に、吸引用ホース取付部１３を設けるとともに、吸引方向切替操作部１４を設けた構成を採ることも可能である。かかる構成を採ることにより、該吸引方向切替操作部１４による切替えを行って、本考案にかかる掃除道具用吸引式除塵具１を必要に応じて通常の電気掃除機３としても使用することが可能になるとともに、掃除道具用吸引式除塵具１の周囲にこぼれ落ちてしまった塵等を最終的に吸引することが容易となる。尚、図面に示すように、吸引用ホース取付部１３に取り付けるべき各種吸引用ホース１５を、蓋体１２の裏側スペースに収納できるようにすると、さらに有益である。
【００３６】
前記スロープ板４の頂上付近には、一または二以上の吸引孔６を有する吸引板５が配置されており、その吸引板５の内部には、該吸引板５と本体３とを結ぶ吸引通路７が形成されている。吸引孔６の形状はスリット状となっており、該吸引孔６の吸引板５への配置については、図７に示すように直線状に配置したり、その他各図に示すように上下左右位置をズラして配置する等が考え得る。また、吸引孔６の大きさについては、吸引孔６の総面積が吸引通路７の総断面積よりも小さくなるようにして、吸引孔６を通過する空気の流速を高めて大きな負圧を得るようにすることが望ましい。また、電気掃除機接続部８の管の断面積から一気に吸引孔６の断面積へ絞り込むと、形状抵抗が大きくなって圧力損失が大きくなるので、図８に示すように、吸引通路７と電気掃除機接続部８との間にベンチュリー部を設けて流速を徐々に高めることや、吸引通路７は吸引孔６から吸い込まれた塵を電気掃除機３へ運ぶ役目をするので、各コーナー部は大き目のベンドやアールとして塵詰まりを防止することが望ましい。さらに、上向きスリットと横向きスリットの吸引力を均等化するための形状の工夫、例えば、側面スリットの上側にむけてスリット幅が小さくなる形状として流速を高めることや、整流板などによって流れ方向を考慮した形状とすることが有効である。
【００３７】
また、吸引通路７には、図９に示すように、吸引孔６を備える巻込部１８を設けることも可能である。該巻込部１８について、吸入通路７と連絡することによって、側面及び上面からも吸引をすることが可能となり、掃除道具Ｍの下面に付着した塵のみならず、先端や上面に付着した塵まで有効に取り除くことが可能となる。尚、該巻込部１２に備えられた吸入孔６と掃除道具Ｍとの間が離れてしまうと吸引力が低下するため、高さ及び幅をスライド機構を設けて調整可能として、種々の厚さや大きさの掃除道具Ｍに対応できるようにすることも可能である。
【００３８】
吸引孔６の縁部所定箇所には、図１０及び図１１に示すように、凸部を設けた構成とすることもできる。かかる構成を採用することにより、掃除道具Ｍに付着した塵が、凸部との接触抵抗によって剥離しやすくなって、塵の吸引効率の向上に資することとなる。
【００３９】
吸引通路７は、図１０に示すように、連通した一の通路構造とすることもできるし、あるいは、図１２に示すように、各吸引孔６毎に仕切板７ａを設ける構造や、図１３に示すように、仕切板７ａを設けるとともに該仕切板７ａで仕切られた各通路を部分的に連通させる構造とすることも考え得る。連通した一の通路構造とした場合、吸引通路断面積が広くなり、塵詰まりを防止しやすいという効果が得られるとともに、構造がシンプルとなって、製作容易かつ安価に生産可能となるメリットがある。しかし、大型のスロープ板４を用いた場合、吸引通路７が長くなってしまうため、吸引孔６の形状による圧力損失の増加及び連続する吸引孔６ごとに流入面積が拡大することによって生じる圧力損失の増加等により、電気掃除機３から離れるにつれて各吸引孔６に生じる吸引力が低下してしまうこととなる。そこで、各吸引孔６毎に仕切板７ａを設ける構造とすれば、一の吸引孔６に対して一の吸引通路７となり、前記吸引力の低下及び各吸引孔６の吸引力のばらつきを防止できる。また、掃除道具Ｍによって塞がれない吸引孔６が存在した場合であっても、該掃除道具Ｍによって塞がれた吸引孔６の負圧が急激に低下することはなく、全吸引孔６において安定した除塵力が維持し易くなる。さらに、仕切板７ａを設けるとともに該仕切板７ａで仕切られた各通路を部分的に連通させる構造とした場合、整流により吸入通路７内の乱流発生を防止でき、連通した一の通路構造の場合と、仕切板７ａを設ける構造の場合の両者の長所を重畳的に得ることが可能となる。
【００４０】
尚、吸引通路７の内部に回転ブラシを設け、これを電気掃除機用モーターまたは専用モーターで駆動して、掃除道具Ｍに付着した塵を掻き落とすようにする構成とすることも有効である。
【００４１】
上記の通り構成される掃除道具用吸引式除塵具１において、スロープ板４や吸引板５、吸引通路７を、本体２から取外し・交換可能とする構成を採ることも考えられる。かかる構成とすることにより、紡糸モップ等の大型の掃除道具Ｍや一般家庭用紙モップ等の小型の掃除道具Ｍといった、使用する掃除道具Ｍの大きさ・種類によって、スロープ板４の幅や吸引孔６の大きさ、吸引通路７の構造等を臨機応変に変更することが可能になるとともに、さらにはスロープ板４や吸引板５、吸引通路７内の水洗いも可能となる。尚、取外し・交換可能な部材は上記に限らず、ガイド板１０や巻込部１８についても同様に考え得る。また、これら部材を単独で取外し・交換可能とするのみならず、例えばスロープ板４と吸引板５あるいは吸引板５と吸引通路７とを一体成型してかかる一体成型されたスロープ板４と吸引板５あるいは吸引板５と吸引通路７とが取外し・交換可能である構造にするといったように、任意の各部材を組合せた一体成型部材を取外し・交換可能とする態様も考えられる。かかる取外し・交換の態様について、図１４において例示している。
【００４２】
その他上記構成からなる掃除道具用吸引式除塵具１について、持ち運び移動の利便性を考慮し、図１や図３、図６に示すように、ガイド板１０や蓋体１２に把手部１６を備えることが望ましい。また、掃除道具Ｍをスロープ板４上で動かす際に掃除道具用吸引式除塵具１を動かないようにして安定させるために、図１や図６に示すような足踏部１７や、図２に示すようなペットボトル等の重石を置くための重石置き部１９を設けたり、あるいは図２や図４に示すような吸盤等の滑り止め部材からなるストッパーＳをスロープ板４の裏面に設ける態様が考えられる。さらには、掃除道具Ｍをスロープ板４上で動かす際に、該掃除道具Ｍの柄部が本体２に接触することによる傷や故障の発生を防止するため、図１や図６に示すように、本体２所定箇所に保護帯２ａを設けることが好ましい。かかる保護帯２ａの材質としては、スポンジ等の発泡体やゴムなどといった緩衝材としての機能を果たすことが可能であれば、特に限定するものではない。尚、傷・故障発生防止という観点からは、巻込部１８についても同様に考えられ、したがって該巻込部１８についても所定箇所に保護帯を設けることが望ましい。
【００４３】
そしてまた、図１４や図１５に示すように、本体２の所定箇所に車輪Ｗを設けることも可能であり、かかる構成とすることで、本考案にかかる掃除道具用吸引式除塵具１を容易に移動可能とすることができる。該車輪Ｗの形状については特に限定するものではなく、例えば、タイヤ状や球状等が考えられる。また、材質については床を傷つけないものであればよく、例えば、ゴムやウレタン等が考えられる。尚、該車輪Ｗについて、通常の使用時には床面に接地せずに本体２を傾けたときに接地するような構造とすることも考え得る。尚、図１５は、本考案にかかる掃除道具用吸引式除塵具１を塵取り的に使用する場合の形態を示す実施例である。かかる場合には、スロープ板４の底面の延長線上に車輪Ｗの外径が一致するように設定することが望ましい。
【００４４】
図１６は、吸引量調整のための構造を示している。電気掃除機３については、電気的圧力制御や圧力調整弁によって吸引力を自動調整できる構造とすることが望ましいが、吸引力を自動調整できないタイプの電気掃除機の構造を採用する場合は、電気掃除機３に過大な負荷がかからないようにするために、吸引量調整孔Ｈを設けることが望ましい。該吸引量調整孔Ｈは、本体２内の吸引通路７に設けた吸気抜き孔と、該吸引通路７を覆う回転式カバーに設けた孔との一致・不一致を行うことで、かかる負荷を防止する構造となっている。
【００４５】
次に、本考案にかかる掃除道具用吸引式除塵具１の使用態様について説明すると、まず、掃除道具用吸引式除塵具１を収納場所から運び、所定の位置に設置する。電気掃除機別体型の場合であれば、さらに電気掃除機３を収納場所から運んで電気掃除機接続部８へ接続する。また、各部材が取外し・交換可能なものであれば、使用する掃除道具Ｍに合わせてスロープ板４等のセッティングを行う。その後、電気掃除機３の電源をＯＮにする。このとき、手動の場合は電源ＯＮにより電気掃除機３が作動して使用可能状態となり、掃除道具感知センサーによって自動的に作動する場合は、電源のみがＯＮとなって掃除道具Ｍをスロープ板４に置くことにより作動状態となる。そして、必要に応じて足踏部１７に足を載せ、掃除道具Ｍをスロープ板４の上で左右若しくは前後等に動かすことにより、掃除道具Ｍに付着したゴミが吸引孔６から吸引される。さらに、本体２に吸引用ホース取付部１３並びに吸引方向切替操作部１４が設けられた構成の場合は、掃除道具Ｍの吸引後、吸引用ホース取付部１３に吸引用ホース１５を取り付け、吸引方向切替操作部１４を操作して、該吸引用ホース１５によって掃除道具用吸引式除塵具１の周囲にこぼれ落ちた塵等の吸引を行う。使用後は、電源をＯＦＦにし、電気掃除機別体型の場合は電気掃除機３を電気掃除機接続部８から外し、さらに必要に応じて各部材を解体し、そして蓋体１２が設けられたものであれば該蓋体１２を折り畳んで蓋をしてコンパクト化し、持ち運び用の把手部１６によって所定の位置に運搬・収納を行う。尚、図２に示すような常時設置型であれば、当然運搬・収納の必要はない。また、電気掃除機３内に溜まった塵については、通常の電気掃除機と同様、随時処理を行う。
【産業上の利用可能性】
【００４６】
本考案にかかる掃除道具用吸引式除塵具１は、乾式の掃除道具Ｍであれば種類を問わずに多くの掃除道具Ｍに対して使用することが可能であるとともに、業務用・家庭用も問わず、幅広いあらゆる掃除に対して非常に有効に働くものである。
【図面の簡単な説明】
【００４７】
【図１】本考案にかかる掃除道具用吸引式除塵具の第一の実施形態を示す斜視図である。
【図２】本考案にかかる掃除道具用吸引式除塵具の第一の実施形態を示す斜視図である。
【図３】本考案にかかる掃除道具用吸引式除塵具の第一の実施形態を示す斜視図である。
【図４】本考案にかかる掃除道具用吸引式除塵具の第二の実施形態を示す斜視図である。
【図５】スロープ板先端にラバー材を備える構造を示す断面図である。
【図６】本考案にかかる掃除道具用吸引式除塵具に蓋体を設けた構造を示す斜視図である。
【図７】吸引孔の形状及び配置例を示す説明図である。
【図８】吸引孔並びに本体内の吸引通路を示す断面図である。
【図９】巻込部の構造を示す断面図である。
【図１０】吸引孔を有する吸引板並びに吸引通路の構造を示す断面図である。
【図１１】吸引孔の凸部構造を示す断面図である。
【図１２】吸引孔を有する吸引板並びに吸引通路の構造を示す断面図である。
【図１３】吸引孔を有する吸引板並びに吸引通路の構造を示す断面図である。
【図１４】取外し・交換可能部材について示す説明図である。
【図１５】本考案にかかる掃除道具用吸引式除塵具の実施態様を示す斜視図である。
【図１６】回転式吸気抜き調整孔の構造を示す断面図である。
【符号の説明】
【００４８】
１    掃除道具用吸引式除塵具
２    本体
２ａ  保護帯
３    電気掃除機
４    スロープ板
５    吸引板
６    吸引孔
６ａ  凸部
７    吸引通路
７ａ  仕切板
８    電気掃除機接続部
９    掴持部
１０    ガイド板
１１    ラバー材
１２    蓋体
１３    吸引用ホース取付部
１４    吸引方向切替操作部
１５    吸引用ホース
１６    把手部
１７    足踏部
１８    巻込部
１９    重石置き部
Ｅ    電源コード
Ｆ    充電器
Ｈ    吸引量調整孔
Ｍ    掃除道具
Ｓ    ストッパー
Ｗ    車輪
【図１】
0003113060.tif 000003
【図２】
0003113060.tif 000004
【図３】
0003113060.tif 000005
【図４】
0003113060.tif 000006
【図５】
0003113060.tif 000007
【図６】
0003113060.tif 000008
【図７】
0003113060.tif 000009
【図８】
0003113060.tif 000010
【図９】
0003113060.tif 000011
【図１０】
0003113060.tif 000012
【図１１】
0003113060.tif 000013
【図１２】
0003113060.tif 000014
【図１３】
0003113060.tif 000015
【図１４】
0003113060.tif 000016
【図１５】
0003113060.tif 000017
【図１６】
0003113060.tif 000018